(57)【特許請求の範囲】
【請求項１】
ケース内ガスを吸気通路に吸引させてクランクケースの換気を図るPCVバルブと、排気通路に配置された三元触媒及びNOx吸蔵還元触媒と、内燃機関に関わるアクチュエータを駆動する電子制御ユニットとを備える内燃機関の制御装置であって、
前記電子制御ユニットは、
理論空燃比を含むストイキ領域で前記内燃機関を作動させるストイキ制御と、前記ストイキ領域よりリーンなリーン領域で前記内燃機関を作動させるリーン制御とを実行し、
前記クランクケースの換気要求が生じた際に、
混合気の空燃比、燃料噴射量、及び吸気マニホールド圧の組み合わせの中で、前記ケース内ガスの単位時間当たりの換気量を増量させる組み合わせを換気条件として抽出し、かつ、空燃比、燃料噴射量、及び吸気マニホールド圧を当該換気条件に従って変更し、
空燃比に関する前記抽出は、前記三元触媒と前記NOx吸蔵還元触媒とで排気ガスを浄化することができ、かつ、前記混合気の筒内燃焼を担保することができる許容空燃比範囲の中で行い、
前記換気条件として抽出される空燃比と燃料噴射量とは、前記変更の前後で等機関トルクを維持する関係を満たしていることを特徴とする内燃機関の制御装置。
【請求項２】
前記電子制御ユニットは、前記換気要求が生じた際に、前記ケース内ガスの単位時間当たりの要求換気量を設定し、
前記換気条件は、前記換気量が当該要求換気量を満たす条件であることを特徴とする請求項１に記載の内燃機関の制御装置。
【請求項３】
前記換気条件は、前記許容空燃比範囲内の空燃比、等機関トルクを維持する燃料噴射量、及び吸気マニホールド圧の組み合わせの中で、最小燃費で前記要求換気量を満たす組み合わせであることを特徴とする請求項２に記載の内燃機関の制御装置。
【請求項４】
前記電子制御ユニットは前記換気要求が生じた際に、
（１−１）前記許容空燃比範囲の中で空燃比を仮決めし、
（１−２）仮決めされた空燃比と当該空燃比の下で等機関トルクを維持する燃料噴射量との組み合わせに対して最小燃費で前記要求換気量を満たす吸気マニホールド圧を特定する特定処理を実行し、
（２）前記許容空燃比範囲に含まれる複数の空燃比の夫々について、前記特定処理を繰り返し実行し、
（３）前記特定処理により特定された全ての吸気マニホールド圧の中で最小燃費を実現する吸気マニホールド圧と、当該吸気マニホールド圧を特定する特定処理の際に用いられた空燃比及び燃料噴射量との組み合わせを、前記換気条件として抽出することを特徴とする請求項３に記載の内燃機関の制御装置。
【請求項５】
吸気量を制御するスロットル弁と、
ウェストゲートバルブを備える過給機と、
当該過給機のコンプレッサの前後に生ずる差圧を用いて前記クランクケースの換気を図るエゼクタと、を更に備え、
前記換気条件は、混合気の空燃比、燃料噴射量、吸気マニホールド圧、スロットル開度、及びウェストゲート開度の組み合わせの中で、前記PCVバルブと前記エゼクタの双方で実現される単位時間当たりの総換気量を増量させる組み合わせであることを特徴とする請求項１に記載の内燃機関の制御装置。
【請求項６】
前記電子制御ユニットは、前記換気要求が生じた際に、前記ケース内ガスの単位時間当たりの要求換気量を設定し、
前記換気条件は、前記総換気量が当該要求換気量を満たす条件であることを特徴とする請求項５に記載の内燃機関の制御装置。
【請求項７】
前記換気条件は、前記許容空燃比範囲内の空燃比、等機関トルクを維持する燃料噴射量、吸気マニホールド圧、スロットル開度、及びウェストゲート開度の組み合わせの中で、最小燃費で前記要求換気量を満たす組み合わせであることを特徴とする請求項６に記載の内燃機関の制御装置。
【請求項８】
前記電子制御ユニットは前記換気要求が生じた際に、
（１−１）前記許容空燃比範囲の中で空燃比を仮決めし、
（１−２）前記吸気マニホールド圧を実用範囲の中で仮決めし、
（１−３）仮決めされた吸気マニホールド圧及び空燃比と、当該空燃比の下で前記等機関トルクを発生する燃料噴射量との組み合わせに対して、最小燃費で前記要求換気量を満たすスロットル開度とウェストゲート開度のペアを特定する特定処理を実行し、
（２）前記許容空燃比範囲に含まれる複数の空燃比と前記実用範囲に含まれる複数の吸気マニホールド圧との組み合わせの夫々について、前記特定処理を繰り返し実行し、
（３）前記特定処理の実行により特定されたスロットル開度とウェストゲート開度の全てのペアの中で最小燃費を実現するペアと、当該ペアを特定する特定処理の際に用いられた空燃比、燃料噴射量、及び吸気マニホールド圧との組み合わせを前記換気条件として抽出することを特徴とする請求項７に記載の内燃機関の制御装置。
【請求項９】
前記電子制御ユニットは、
前記クランクケース内のNOx濃度を検知し、
前記NOx濃度に基づいて前記要求換気量を設定することを特徴とする請求項２乃至４及び６乃至８の何れか1項に記載の内燃機関の制御装置。
【請求項１０】
前記電子制御ユニットは、
前記クランクケース内のCO2濃度を検知し、
前記CO2濃度に基づいて前記要求換気量を設定することを特徴とする請求項２乃至４及び６乃至９の何れか1項に記載の内燃機関の制御装置。
【請求項１１】
前記電子制御ユニットは、
前記クランクケース内のNOx濃度を検知し、
前記NOx濃度が閾値に達したら前記換気要求の発生を認識することを特徴とする請求項１乃至１０の何れか1項に記載の内燃機関の制御装置。
【請求項１２】
前記電子制御ユニットは、
前記クランクケース内のCO2濃度を検知し、
前記CO2濃度が閾値に達したら前記換気要求の発生を認識することを特徴とする請求項１乃至１１の何れか1項に記載の内燃機関の制御装置。
【請求項１３】
前記許容空燃比範囲は、前記ストイキ領域と前記リーン領域とで構成されており、
前記ストイキ領域と前記リーン領域との間には、前記三元触媒と前記NOx吸蔵還元触媒とでは排気ガス中のNOxが浄化できない中間領域が存在し、
前記電子制御ユニットは、
前記換気要求の発生を受けて前記空燃比を変更する際に、当該空燃比が前記中間領域を跨いで変化する場合には、その変更に先立って、前記NOx吸蔵還元触媒のNOx吸蔵容量の回復が認められるまで混合気の空燃比を理論空燃比よりリッチとするリッチ制御を実行することを特徴とする請求項1乃至１２の何れか1項に記載の内燃機関の制御装置。
【発明の詳細な説明】
【技術分野】
【０００１】
この発明は、内燃機関の制御装置に係り、特に、リーンバーン運転を行う車載用の内燃機関の制御装置として好適な内燃機関の制御装置に関する。
【背景技術】
【０００２】
特許文献１には、PCV（Positive Crankcase Ventilation）バルブとエゼクタを備える内燃機関が開示されている。内燃機関のクランクケース内には、NOx及びCO2を含むブローバイガスが吹き抜けてくることがある。このため、内燃機関においては、クランクケース内のガス（以下、「ケース内ガス」と称す）を適度に換気することが必要である。
【０００３】
PCVバルブは、クランクケースと吸気通路との間に介在し、吸気負圧を利用してケース内ガスを吸気通路に引き込むためのバルブである。PCVバルブによれば、適度な吸気負圧が発生する状況下で、クランクケースの内部を適度に換気することができる。
【０００４】
エゼクタは、過給機と共に内燃機関に搭載される。過給機を備える内燃機関においては、コンプレッサの前後に圧力差が発生する。エゼクタは、クランクケースの内部に通じるインレットと、コンプレッサの上流に通じるアウトレットと、コンプレッサの下流に通じる圧力導入口とを有している。このような構成によれば、コンプレッサの前後に圧力差が生ずると、エゼクタの内部には、圧力導入口からアウトレットに向かう空気の流れが生ずる。そして、このような空気の流れが生ずると、エゼクタは、インレットから吸引したケース内ガスをアウトレットから流出させる。このため、エゼクタによれば、適度な過給圧が発生する状況下でクランクケースの内部を適度に換気することができる。
【先行技術文献】
【特許文献】
【０００５】
【特許文献１】特開２０１３−１２４５４４号公報
【特許文献２】特開２０１３−０９６２４７号公報
【特許文献３】特開平６−１０８９０３号公報
【特許文献４】特開２０１３−０５００９６号公報
【発明の概要】
【発明が解決しようとする課題】
【０００６】
しかしながら、特許文献１に記載の内燃機関においては、吸気負圧が殆ど発生せず、かつ、十分な過給圧も発生しない状態で運転が継続されることがある。吸気負圧が発生しなければPCVバルブはケース内ガスを換気することができない。また、過給圧が十分でなければエゼクタもケース内ガスを換気しない。このため、特許文献１に記載の内燃機関においては、このような運転状態の下では、クランクケースの換気が十分に行えない事態が生じ得る。
【０００７】
この発明は、上述のような課題を解決するためになされたもので、必要に応じて、内燃機関の出力特性及び排気特性を損なわない範囲で運転状態を変更することによりケース内ガスの換気能力を高めることのできる内燃機関の制御装置を提供することを目的とする。
【課題を解決するための手段】
【０００８】
第１の発明は、上記の目的を達成するため、ケース内ガスを吸気通路に吸引させてクランクケースの換気を図るPCVバルブと、排気通路に配置された三元触媒及びNOx吸蔵還元触媒と、内燃機関に関わるアクチュエータを駆動する電子制御ユニットとを備える内燃機関の制御装置であって、
前記電子制御ユニットは、
理論空燃比を含むストイキ領域で前記内燃機関を作動させるストイキ制御と、前記ストイキ領域よりリーンなリーン領域で前記内燃機関を作動させるリーン制御とを実行し、
前記クランクケースの換気要求が生じた際に、混合気の空燃比、燃料噴射量、及び吸気マニホールド圧の組み合わせの中で、前記ケース内ガスの単位時間当たりの換気量を増量させる組み合わせを換気条件として抽出し、かつ、空燃比、燃料噴射量、及び吸気マニホールド圧を当該換気条件に従って変更し、
空燃比に関する前記抽出は、前記三元触媒と前記NOx吸蔵還元触媒とで排気ガスを浄化することができ、かつ、前記混合気の筒内燃焼を担保することができる許容空燃比範囲の中で行い、
前記換気条件として抽出される空燃比と燃料噴射量とは、前記変更の前後で等機関トルクを維持する関係を満たしていることを特徴とする。
【０００９】
また、第２の発明は、第１の発明において、
前記電子制御ユニットは、前記換気要求が生じた際に、前記ケース内ガスの単位時間当たりの要求換気量を設定し、
前記換気条件は、前記換気量が当該要求換気量を満たす条件であることを特徴とする。
【００１０】
また、第３の発明は、第２の発明において、前記換気条件は、前記許容空燃比範囲内の空燃比、等機関トルクを維持する燃料噴射量、及び吸気マニホールド圧の組み合わせの中で、最小燃費で前記要求換気量を満たす組み合わせであることを特徴とする。
【００１１】
また、第４の発明は、第３の発明において、前記電子制御ユニットは前記換気要求が生じた際に、
（１−１）前記許容空燃比範囲の中で空燃比を仮決めし、
（１−２）仮決めされた空燃比と当該空燃比の下で前記等機関トルクを発生する燃料噴射量との組み合わせに対して最小燃費で前記要求換気量を満たす吸気マニホールド圧を特定する特定処理を実行し、
（２）前記許容空燃比範囲に含まれる複数の空燃比の夫々について、前記特定処理を繰り返し実行し、
（３）前記特定処理により特定された全ての吸気マニホールド圧の中で最小燃費を実現する吸気マニホールド圧と、当該吸気マニホールド圧を特定する特定処理の際に用いられた空燃比及び燃料噴射量との組み合わせを、前記換気条件として抽出することを特徴とする。
【００１２】
また、第５の発明は、第１の発明において、
吸気量を制御するスロットル弁と、
ウェストゲートバルブを備える過給機と、
当該過給機のコンプレッサ前後に生ずる差圧を用いて前記クランクケースの換気を図るエゼクタと、を更に備え、
前記換気条件は、混合気の空燃比、燃料噴射量、吸気マニホールド圧、スロットル開度、及びウェストゲート開度の組み合わせの中で、前記PCVバルブと前記エゼクタの双方で実現される単位時間当たりの総換気量を増量させる組み合わせであることを特徴とする。
【００１３】
また、第６の発明は、第５の発明において、
前記電子制御ユニットは、前記換気要求が生じた際に、前記ケース内ガスの単位時間当たりの要求換気量を設定し、
前記換気条件は、前記総換気量が当該要求換気量を満たす条件であることを特徴とする請求項５に記載の内燃機関の制御装置。
【００１４】
また、第７の発明は、第６の発明において、前記換気条件は、前記許容空燃比範囲内の空燃比、等機関トルクを維持する燃料噴射量、吸気マニホールド圧、スロットル開度、及びウェストゲート開度の組み合わせの中で、最小燃費で前記要求換気量を満たす組み合わせであることを特徴とする。
【００１５】
また、第８の発明は、第７の発明において、
前記電子制御ユニットは前記換気要求が生じた際に、
（１−１）前記許容空燃比範囲の中で空燃比を仮決めし、
（１−２）前記吸気マニホールド圧を実用範囲の中で仮決めし、
（１−３）仮決めされた吸気マニホールド圧及び空燃比と、当該空燃比の下で前記等機関トルクを発生する燃料噴射量との組み合わせに対して、最小燃費で前記要求換気量を満たすスロットル開度とウェストゲート開度のペアを特定する特定処理を実行し、
（２）前記許容空燃比範囲に含まれる複数の空燃比と前記実用範囲に含まれる複数の吸気マニホールド圧との組み合わせの夫々について、前記特定処理を繰り返し実行し、
（３）前記特定処理の実行により特定されたスロットル開度とウェストゲート開度の全てのペアの中で最小燃費を実現するペアと、当該ペアを特定する特定処理の際に用いられた空燃比、燃料噴射量、及び吸気マニホールド圧との組み合わせを前記換気条件として抽出することを特徴とする。
【００１６】
また、第９の発明は、第２乃至第４及び第６乃至第８の発明の何れかにおいて、前記電子制御ユニットは、
前記クランクケース内のNOx濃度を検知し、
前記NOx濃度に基づいて前記要求換気量を設定することを特徴とする。
【００１７】
また、第１０の発明は、第２乃至第４及び第６乃至第９の発明の何れかにおいて、前記電子制御ユニットは、
前記クランクケース内のCO2濃度を検知し、
前記CO2濃度に基づいて前記要求換気量を設定することを特徴とする。
【００１８】
また、第１１の発明は、第１乃至第１０の発明の何れかにおいて、前記電子制御ユニットは、
前記クランクケース内のNOx濃度を検知し、
前記NOx濃度が閾値に達したら前記換気要求の発生を認識することを特徴とする。
【００１９】
また、第１２の発明は、第１乃至第１１の発明の何れかにおいて、前記電子制御ユニットは、
前記クランクケース内のCO2濃度を検知し、
前記CO2濃度が閾値に達したら前記換気要求の発生を認識することを特徴とする。
【００２０】
また、第１３の発明は、第1乃至第１２の発明の何れかにおいて、
前記許容空燃比範囲は、前記ストイキ領域と前記リーン領域とで構成されており、
前記ストイキ領域と前記リーン領域との間には、前記三元触媒と前記NOx吸蔵還元触媒とでは排気ガス中のNOxが浄化できない中間領域が存在し、
前記電子制御ユニットは、
前記換気要求の発生を受けて前記空燃比を変更する際に、当該空燃比が前記中間領域を跨いで変化する場合には、その変更に先立って、前記NOx吸蔵還元触媒のNOx吸蔵容量の回復が認められるまで混合気の空燃比を理論空燃比よりリッチとするリッチ制御を実行することを特徴とする。
【発明の効果】
【００２１】
第１の発明によれば、内燃機関は、ストイキ領域とリーン領域で作動することができる。従って、本発明においてクランクケースの換気要求が生じた際には、混合気の空燃比をストイキ領域とリーン領域の範囲内で変化させることができる。空燃比を変化させれば、内燃機関のトルクを変化させることなく空気量を変化させることができる。また、空気量が変化すれば、吸気マニホールド圧にも変化が生ずる。そして、吸気マニホールド圧が変化すれば、PCVバルブによって吸引されるガス量が変わり、その結果ケース内ガスの換気量も変化する。電子制御ユニットは、換気要求が生じた際に、その換気量が増加するように空燃比、燃料噴射量、及び吸気マニホールド圧を変更する。このため、本発明によれば、換気が必要な場面でケース内ガスの換気量を増やすことができる。この際、電子制御ユニットは、許容空燃比範囲に属する空燃比と、等機関トルクを維持する燃料噴射量とを用いる。このため、内燃機関の出力特性及び排気特性が損なわれることはない。
【００２２】
第２の発明によれば、換気要求が生じた際に、単位時間当たりの要求換気量が設定される。そして、当該要求換気量を満たす換気量が生ずるように換気条件が抽出される。このため、本発明によれば、内燃機関の出力特性及び排気特性を損なうことなく、換気要求の発生時に、要求換気量を満たす換気量を発生させることができる。
【００２３】
第３の発明によれば、最小燃費で要求換気量を満たす換気条件を抽出することができる。このため、本発明によれば、換気要求の発生時に、内燃機関の出力特性及び排気特性を損なうことなく、かつ、燃費特性をも損なうことなく所望の換気量を確保することができる。
【００２４】
第４の発明によれば、（１−１）から（３）までの処理を実行することにより、最小燃費で要求換気量を満たす換気条件を確実に抽出することができる。
【００２５】
第５の発明によれば、吸気負圧を高めることでPCVによる換気量を増やすことができる。また、過給圧を高めることによりエゼクタによる換気量を増やすことができる。本発明においては、換気要求が生じた際に、両者の換気量を合わせた総換気量が増加するように換気条件が抽出される。総換気量は、吸気負圧が稼ぎ難い状況下では過給圧を高めることで、また、過給圧が確保し難い状況下では吸気負圧を確保することで増やすことができる。このため、本発明によれば、PCVバルブのみを用いる場合に比して、所望の換気量を得るための換気条件をより容易に抽出することができる。
【００２６】
第６の発明によれば、PCVバルブ及びエゼクタを備える内燃機関が要求換気量を満たすための条件が換気条件として抽出される。このため、本発明によれば、換気要求の発生時に、PCVバルブ及びエゼクタに、要求換気量を満たす総換気量を発生させることができる。
【００２７】
第７の発明によれば、PCVバルブ及びエゼクタを備える内燃機関が、最小燃費で要求換気量を得るための条件が換気条件として抽出される。このため、本発明によれば、内燃機関の燃費特性を損なうことなく、要求換気量を満たす総換気量を発生させることができる。
【００２８】
第８の発明によれば、（１−１）から（３）の処理を実行することにより、PCVバルブとエゼクタを備える内燃機関において最小燃費と要求換気量を満たすための換気条件を、確実に抽出することができる。
【００２９】
第９の発明によれば、クランクケース内のNOx濃度に基づいて、過不足無く要求換気量を設定することができる。
【００３０】
第１０の発明によれば、クランクケース内のCO2濃度に基づいて、過不足無く要求換気量を設定することができる。
【００３１】
第１１の発明によれば、クランクケース内のNOx濃度が高まった段階で、電子制御ユニットに無駄なく換気要求の発生を認識させることができる。
【００３２】
第１２の発明によれば、クランクケース内のCO2濃度が高まった段階で、電子制御ユニットに無駄なく換気要求の発生を認識させることができる。
【００３３】
第１３の発明によれば、空燃比が中間領域を跨いで変化する際には、その変化に先立ってNOx吸蔵還元触媒のNOx吸蔵容量を回復させておくことができる。空燃比が中間領域を横切る際には多量のNOxが排出される。その際にNOx吸蔵容量が既に回復していれば、NOxの大気放出を有効に防ぐことができる。
【図面の簡単な説明】
【００３４】
【図１】本発明の実施の形態１の構成を示す図である。
【図２】三元触媒とNOx吸蔵還元触媒とを備える浄化システムの排気ガス浄化特性を示す図である。
【図３】混合気の空燃比A/Fとトルク変動TFとの関係を示す図である。
【図４】図１に示す内燃機関における許容空燃比範囲を説明するための図である。
【図５】換気要求の発生前後における本発明の実施の形態１の動作を説明するためのタイミングチャートである。
【図６】本発明の実施の形態１で実行されるメインルーチンのフローチャートである。
【図７】図６のステップ１０２で参照される要求換気量Vに関するマップの一例である。
【図８】図６のステップ１０８の詳細を示すフローチャートである。
【図９】等機関トルクを維持する燃料噴射量Fと空燃比A/Fとの関係を示す図である。
【図１０】等燃料噴射量の下で吸入空気量Gaと空燃比A/Fの間に成立する関係を示す図である。
【図１１】吸気マニホールド圧Pinと吸気弁特性InVVTとの関係を、吸入空気量Gaをパラメータとして表した図である。
【図１２】吸気マニホールド圧Pinと燃費との関係を示す図である。
【図１３】吸気マニホールド圧PinとPCV換気量Ventpcvとの関係を示す図である。
【図１４】燃費とPCV換気量Ventpcvの関係を整理した図である。
【図１５】図６のステップ１０８の処理により得られる関係を模式的に表した図である。
【図１６】図６のステップ１１０の詳細を示すフローチャートである。
【図１７】図１６のステップ１２８の処理を具体的に説明するための図である。
【図１８】図１６のステップ１３４の処理を具体的に説明するための図である。
【図１９】本発明の実施の形態２の構成を示す図である。
【図２０】本発明の実施の形態２で実行されるメインルーチンのフローチャートである。
【図２１】図１９のステップ１５２の詳細を示すフローチャートである。
【図２２】スロットル開度と燃費との関係を示す図である。
【図２３】ウェストゲート開度と燃費との関係を示す図である。
【図２４】図２０のステップ１７０で特定される関係を模式的に表した図である。
【図２５】過給圧Pscとスロットル開度TAとの関係を、吸気マニホールド圧Pinをパラメータとして表した図である。
【図２６】過給圧Pscとウェストゲート開度との関係を表した図である。
【図２７】図２０のステップ１７８で特定される関係を模式的に表した図である。
【図２８】過給圧Pscとエゼクタ換気量Ventejeとの関係を示す図である。
【図２９】図２０のステップ１８２で特定される関係を模式的に表した図である。
【図３０】図２０のステップ１８４で特定される関係を模式的に表した図である。
【図３１】図２０のステップ１８６の処理により得られる関係を模式的に表した図である。
【図３２】図２０のステップ１８８の処理により得られる関係を模式的に表した図である。
【図３３】図１９のステップ１５４の詳細を示すフローチャートである。
【図３４】図３２のステップ１９６の処理を具体的に説明するための図である。
【図３５】図３２のステップ２０２の処理を具体的に説明するための図である。
【発明を実施するための形態】
【００３５】
実施の形態１．
［実施の形態１の構成］
図１は本発明の実施の形態１の構成を示す。本実施形態は内燃機関１０を備えている。内燃機関１０は、吸気側及び排気側の双方に可変動弁機構１２，１４を備えている。可変動弁機構１２，１４は、吸気弁及び排気弁の開弁特性を変化させることができる。以下、本明細書では、吸気側の可変動弁機構１２の状態と吸気弁の開弁特性とが同義であるものとして、それらを「吸気弁特性InVVT」と称する。
【００３６】
内燃機関１０は、気筒毎に、燃焼圧センサ１５（図１上方の「CPS１５」参照）、筒内噴射弁１６、及びポート噴射弁１８を備えている。また、内燃機関１０は、水温センサ２０及びクランク角センサ２２を備えている。クランク角センサ２２によれば、内燃機関１０の回転速度NEを検知することができる。
【００３７】
内燃機関１０のクランクケース２４にはオイルセパレータ２６が装着されている。また、オイルセパレータ２６にはPCV（Positive Crankcase Ventilation）バルブ２８が接続されている。クランクケース２４の内部空間は、オイルセパレータ２６を介してPCVバルブ２８に連通している。クランクケース２４には、内燃機関１０の燃焼室から、オイル等を含むブローバイガスが吹き抜けてくる。オイルセパレータ２６は、そのオイルを除去した状態でケース内ガスをPCVバルブ２８に送り出すことができる。
【００３８】
内燃機関１０には、吸気通路３０が連通している。吸気通路３０は、エアフィルタ３２の下流にエアフロメータ（AFM）３４を備えている。AFM３４の下流には、ターボチャージャ３６のコンプレッサ３８が配置されている。コンプレッサ３８の下流には、インタークーラ４０、過給圧センサ４２、及び電子式のスロットル弁４４がその順で配置されている。以下、過給圧センサ４２が検出する圧力、つまり、スロットル弁４４の上流側の圧力を「過給圧Psc」と称す。
【００３９】
スロットル弁４４の下流はサージタンク４６に連通している。サージタンク４６の内圧は、スロットル弁４４が閉じるに連れて負圧化する。上述したPCVバルブ２８は、サージタンク４６に連通しており、その負圧を利用してケース内ガスをサージタンク４６に流通させる。内燃機関１０は、このようにしてケース内ガスを流通させることにより、クランクケース２４の換気を図ることができる。
【００４０】
図１に示すように、サージタンク４６には吸気圧センサ４８が配置されている。吸気圧センサ４８によれば、サージタンク４６の内圧を計測することができる。以下、本実施形態では、その内圧を「吸気マニホールド圧Pin」と称す。
【００４１】
内燃機関１０には、排気通路５０が連通している。排気通路５０には、ターボチャージャ３６のタービン５２が組み込まれている。また、排気通路５０には、タービン５２をバイパスするバイパス通路５４が設けられている。バイパス通路５４はウェストゲートバルブ（WGV）５６を備えている。ターボチャージャ３６は、WGV５６の開度を変えることにより、タービン５２の駆動に用いる排気ガスの比率を変えることができる。
【００４２】
排気通路５０は、タービン５２の下流に三元触媒５８とNOx吸蔵還元触媒（NSR触媒）６０を備えている。三元触媒５８の上流には空燃比センサ６２が配置されている。空燃比センサ６２は、その周囲を流れるガスの空燃比に対してリニアな信号を発生する。
【００４３】
三元触媒５８の下流及びNSR触媒６０の下流には、それぞれ酸素センサ６４，６６が配置されている。酸素センサ６４，６６は、その周囲を流れるガスの空燃比が理論空燃比に比してリーンであるかリッチであるかに応じて出力信号をステップ的に変化させる。
【００４４】
図１に示すシステムは、電子制御ユニット（以下、「ECU」と称す）７０を備えている。ECU７０には、内燃機関１０に関わる上記の各種センサ及びアクチュエータが接続されている。ECU７０は、それらのセンサからの出力により内燃機関１０の状態を検知し、また、それらのアクチュエータを駆動することにより内燃機関１０の状態を制御することができる。
【００４５】
［実施の形態１の基本動作］
（ストイキ制御とリーン制御）
本実施形態において、ECU７０は、ストイキ制御とリーン制御を切り替えて実行することができる。ここで、「ストイキ制御」とは、混合気の空燃比を、理論空燃比を含むストイキ領域内の値に制御して内燃機関１０を作動させる制御である。ストイキ制御は、内燃機関１０に高い出力と優れた応答性を発揮させるのに適した運転であることから、主として高負荷高回転領域で用いられる。
【００４６】
上記の「リーン制御」とは、混合気の空燃比を、ストイキ領域に比してリーンなリーン領域内の値に制御して内燃機関１０を作動させる制御である。リーン制御は、低燃費の実現に適した運転であり、主として低負荷低回転領域で用いられる。本実施形態では、以上の通りストイキ制御とリーン制御とが行われる。このため、内燃機関１０では、幅広い空燃比範囲が用いられることになる。
【００４７】
（許容空燃比範囲）
内燃機関１０の排気システムには、排気ガスの浄化が可能なウィンドウが存在する。このため、内燃機関１０で用いる空燃比は、そのウィンドウを超えて変化させることはできない。また、混合気の空燃比には、適切な燃焼を担保する観点からも制約が課される。従って、内燃機関１０で用いる空燃比は、その制約も満たすものでなければならない。以下、これらの要求を共に満たす空燃比範囲を、内燃機関１０の「許容空燃比範囲」と称す。
【００４８】
図２は、三元触媒５８及びNSR触媒６０による排気ガスの浄化率と、混合気の空燃比A/Fとの関係を示す。但し、本明細書において、排気ガスの「浄化率」とは、排気システムから流れ出た排気ガスの清浄度を意味するものとする。つまり、図２においては、内燃機関１０がそもそも不純物を排出せず、その結果として排気システム下流の清浄度が高くなる場合も「浄化率」が高いものとして表している。
【００４９】
図２中に「ストイキ領域」の文字を付して示す領域は、ストイキ制御の際に用いられる領域である。また、図２に示す「THC」は、HC及びCOの総称（Total HCの略）である。内燃機関１０は、混合気の空燃比A/Fがストイキ領域よりリッチな領域では、NOxを殆ど発生しない一方、空燃比がリッチであるほどHC及びCO（THC）を多量に発生する。このため、空燃比がストイキ領域よりリッチな領域では、NOxの浄化率は高い値に維持され、他方、THCの浄化率は空燃比がリッチであるほど低い値となる。
【００５０】
混合気の空燃比A/Fがストイキ領域に属する場合、内燃機関１０は、空燃比がリーン寄りであれば主としてNOxを発生し、空燃比がリッチ寄りであれば主としてHC及びCOを発生する。三元触媒５８は、NOxが過多であれば過剰な酸素を吸蔵してNOxを浄化し、HC及びCOが過多であれば吸蔵酸素を放出してそれらを浄化する。このため、空燃比がストイキ領域に属する場合は、三元触媒５８の機能により、NOx及びTHCの双方につき良好な浄化率が得られる。
【００５１】
内燃機関１０は、混合気の空燃比A/Fがストイキ領域の上限を超えてリーン化すると、HC及びCOを殆ど排出しなくなる一方、NOxを多量に排出し始める。三元触媒５８は、多量に発生し続けるNOxを浄化し続けることはできない。また、NSR触媒６０は、排気ガスの空燃比が大きくリーン化し、強い酸素過多の状態が形成されている場合に、高いNOx吸蔵能力を発揮する触媒である。従って、空燃比がストイキ領域より僅かにリーンな領域では、多量に発生するNOxをNSR触媒６０が浄化しきれない事態が生じ得る。このため、NOxの浄化率は、ストイキ領域に近い弱リーンな空燃比領域では低い値となり、ストイキ領域から十分に離れた領域、具体的には、空燃比が閾値Zを超える強リーンな領域では良好な値となる。以下、図２に示すように、ストイキ領域と閾値Zの間の領域、つまり、NSR触媒６０が排気ガス中のNOxを浄化しきれない領域を「中間領域」と称す。
【００５２】
上述した通り、内燃機関１０は、空燃比A/Fがストイキ領域を超えてリーン化している場合には、HC及びCOを殆ど発生しない。このため、THCの浄化率は、図２に示すように、空燃比がストイキ領域の上限を超える全域で良好な値となる。以上説明した理由により、内燃機関１０においては、ストイキ領域と、空燃比が閾値Zを越えるリーン領域とが、浄化を担保することのできる空燃比領域となる。
【００５３】
図３は、混合気の空燃比A/Fと内燃機関のトルク変動TF（Torque Fluctuation）との関係を示す。混合気の燃焼性は、空燃比がリーンになるほど低下する。そして、混合気の燃焼性が低下すれば、機関トルクの安定性が損なわれ、トルク変動TFが生じ易くなる。図３に示す「TFth」は、ドライバビリティ上許容することのできるトルク変動の上限値である。また、図３に示す「U」は、この上限値TFthに基づいて、燃焼が担保できる空燃比の上限値として定められる値である。
【００５４】
図４は、図２に示す空燃比の許容領域に、図３に示す空燃比の上限値Uを加えた関係を示す。図４に示すように、本実施形態では、理論空燃比の付近に幅を有するストイキ領域と、閾値Zと上限値Uとの間に幅を有するリーン領域とが、内燃機関１０において用いることの出来る「許容空燃比範囲」となる。尚、本明細書において、リーン制御の際に用いる「リーン領域」は、図４に示すリーン領域と一致するものとする。
【００５５】
（リッチ制御）
リーン制御の実行中は、内燃機関１０から排出されるNOxが継続的にNSR触媒６０に吸蔵される。この状態が続くと、やがてはNSR触媒６０がNOx飽和の状態に至る。ECU７０は、この状態を避けるため、NSR触媒６０に流入するNOx量を積算し、その積算値がNOx飽和に対応する判定値に達したら、混合気の空燃比をリッチ化する「リッチ制御」を行う。NSR触媒６０は、リッチな排気ガスの供給を受けると、吸蔵NOxを放出する性質を有している。この際に放出されるNOxは、リッチな排気ガス中に含まれるHC、CO等の還元剤により浄化される。NOxの放出が終わると、NSR触媒６０の下流にリッチな排気ガスが吹き抜け、酸素センサ６６の出力がリッチに反転する。ECU７０は、この反転を受けてリッチ制御を終了し、リーン制御を再開する。本実施形態のシステムは、以上の処理により、排気特性を損なうことなく実質的に継続してリーン制御を行うことができる。
【００５６】
［実施の形態１の特徴］
（空燃比A/Fの変更による換気量の変更）
本実施形態のシステムは、PCVバルブ２８によりクランクケース２４の換気を実現している。上述した通り、PCVバルブ２８は吸気負圧を利用してケース内ガスの換気を図る。このため、吸気負圧が十分に発生しない運転状態が継続すると、クランクケース２４内のブローバイガス濃度が上昇する事態が生ずる。
【００５７】
ところで、本実施形態では、混合気の空燃比A/Fを許容空燃比範囲の中で変化させることができる。また、空燃比A/Fを変化させることができれば、機関トルクの変化を抑制しつつ吸入空気量Gaを変化させることができる。内燃機関１０において、吸入空気量Gaは、吸気マニホールド圧Pinと吸気弁特性InVVTにより決定される。そして、吸気マニホールド圧Pinが変わればPCVバルブ２８の換気量も変化する。従って、本実施形態では、機関トルクを変えずに、吸気マニホールド圧Pinが下がるように空燃比A/Fを変化させれば、ドライバビリティを損なうことなくケース内ガスの換気量を増やすことができる。そして、その空燃比A/Fの変化を許容空燃比範囲の中で行えば、排気特性の悪化をも避けることができる。
【００５８】
（換気の必要性判定）
更に、本実施形態では、以下に説明する手法により、クランクケース２４内のNOx濃度及びCO2濃度を推定することができる。このため、ECU７０は、それらの推定値に基づいて、クランクケース２４の換気の必要性を判断することができる。
【００５９】
（１）NOx濃度の推定
・クランクケース２４内のNOx濃度(a)は、燃焼室からクランクケース２４へのNOx吹き抜け量(b)に応じた値となる。
・NOx吹き抜け量(b)は、燃焼ガス中のNOx濃度(c)と、燃焼室からクランクケース２４への吹き抜けガス量(d)との乗算値(c)*(d)となる。
・燃焼ガス中のNOx濃度(c)は、筒内の燃焼温度(e)に応じた値となる。
・燃焼温度(e)は、燃焼圧(f)と相関を有している。このため、ECU７０は、燃焼圧センサ１５の出力(f)に基づいてNOx濃度(c)を推定することができる。
【００６０】
・吹き抜けガス量(d)は、クランクケース２４の内圧(g)と筒内圧(h)との差圧(i)と、ピストンとシリンダ壁面との隙間(j)とに応じた値となる。
・ケース内圧（g)は大気圧で代用できるため、差圧(i)は筒内圧(h)に基づいて推定することができる。また、筒内圧(h)は、燃焼圧(f)で代用できるため、燃焼圧センサ１５により検知することができる。このため、ECU７０は、燃焼圧センサ１５の出力に基づいて差圧(i)を推定することができる。
・また、ピストンとシリンダ壁面との隙間(j)は、シリンダブロックの温度、即ち冷却水温に依存している。このため、ECU７０は、水温センサ２０の出力に基づいて、その隙間(j)を推定することができる。
【００６１】
・このように、ECU７０は、差圧(i)及び隙間(j)の双方を推定することができる。従って、ECU７０は、それらに基づいて吹き抜けガス量(d)を推定することができる。
・更に、ECU７０は、上記の手法で推定したNOx濃度(c) と吹き抜けガス量(d)を掛け合わせることにより、NOx吹き抜け量(b)を算出することができる。そして、NOx吹き抜け量(b)をクランクケース２４の容量(k)で除することにより、NOx濃度(a)=(b)/(k)を計算することができる。
【００６２】
（２）CO2濃度の推定
・クランクケース２４内のCO2濃度(m)は、燃焼室からクランクケース２４へのCO2吹き抜け量(n)に応じた値となる。
・CO2吹き抜け量(n)は、燃焼ガス中のCO2濃度(o)と、燃焼室からクランクケース２４への吹き抜けガス量(d)との乗算値(o)*(d)となる。
・燃焼ガス中のCO2濃度(o)は、主として混合気の空燃比A/Fに依存する。このため、ECU７０は、空燃比A/Fに基づいてCO2濃度(o)を推定することができる。
【００６３】
・吹き抜けガス量(d)は、NOx濃度の算出過程と同様の手法で算出することができる。このため、ECU７０は、CO2濃度(o) と吹き抜けガス量(d)を掛け合わせることにより、CO2吹き抜け量(n)を算出することができる。そして、CO2吹き抜け量(n)をクランクケース２４の容量(k)で除することにより、CO2濃度(m)=(n)/(k)を計算することができる。
【００６４】
（３）判定
以上説明した通り、本実施形態のシステムでは、クランクケース２４内のNOx濃度及びCO2濃度を推定することができる。NOx濃度及びCO2濃度が十分に低い状況下では、敢えて換気を促進する必要がない。他方、NOx濃度、或いはCO2濃度が十分に高い場合には、クランクケース２４の内部を清浄に保つために、換気を促進することが望ましい。そこで、本実施形態では、クランクケース２４内のNOx濃度或いはCO2濃度が、それぞれの換気要求値に達した場合に、換気の必要性を判定して換気要求を発することとした。
【００６５】
（換気要求発生前後の動作）
図５は、換気要求の発生前後の内燃機関１０の動作例を示すタイミングチャートである。図５に示す４本の破線は、それぞれ下記の値を示している。
破線７２：NOx濃度に関する換気要求値
破線７４：NOx濃度に関する換気終了判定値
破線７６：CO2濃度に関する換気要求値
破線７８：CO2濃度に関する換気終了判定値
【００６６】
図５に示す例は、時刻t1までは自然換気によって適度な換気がなされていたが、時刻t1において、クランクケース２４内のNOx濃度が換気要求値７２に達した場合を示している。時刻t1の時点でCO2濃度は換気要求値７６に達していないが、本実施形態では、この時刻t1の時点で換気促進のための空燃比制御（以下、「換気制御」と称す）が開始される。その結果、時刻t1以降、ケース内ガスの換気量が増えてNOx濃度及びCO2濃度が低下している。
【００６７】
本実施形態において、上記の換気制御は、クランクケース２４内のNOx濃度及びCO2濃度の双方が、夫々の換気終了判定値を下回るまで継続される。このため、図５に示す例では、CO2濃度が換気終了判定値７８を下回った後も、NOx濃度が換気終了判定値７４に達する時刻t2まで、換気制御が継続されている。以上の処理によれば、ケース内ガスの換気を必要に応じて促進することができ、クランクケース２４の内部を常に清浄な状態に保つことができる。
【００６８】
（実施の形態１のフローチャート）
以下、図６乃至図１７を参照して、上記の換気制御を実行するためにECU７０が実行するルーチンについて説明する。図６は、本実施形態においてECU７０が実行するメインルーチンのフローチャートである。ECU７０は、内燃機関１０の始動後、所定の周期で図６に示すルーチンを実行する。
【００６９】
図６に示すルーチンでは、先ず、換気要求が発生しているか否かが判別される（ステップ１００）。ECU７０は、内燃機関１０の始動後、上述した手法により常にクランクケース２４内のNOx濃度及びCO2濃度を計算している。本ステップ１００では、その計算によるNOx濃度及びCO2濃度と、夫々の換気判定値（図５の破線７２，７６参照）とが比較され、何れかの濃度が換気判定値に達していれば、換気要求が発生していると判別される。
【００７０】
上記の処理により換気要求が発生していないと判別された場合は、換気制御を行う必要がないため、以後速やかに今回のルーチンが終了される。一方、換気要求が生じていると判別された場合は、次に、単位時間当たりの要求換気量Vが算出される（ステップ１０２）。
【００７１】
図７は、ECU７０が上記ステップ１０２において参照する要求換気量Vのマップである。このマップは、差分Yとの関係で要求換気量Vを定めている。より具体的には、図７に示すマップは、差分Yが大きいほど要求換気量Vが多量になるように設定されている。ECU７０は、上記ステップ１０２において、先ず、NOx濃度及びCO2濃度の夫々につき、現在の濃度と換気終了判定値（図５の破線７４，７８参照）との差分Yを算出する。次いで、図７に示すマップを参照して、その差分Yに対応する要求換気量Vを特定する。以上の処理によれば、現在のNOx濃度又はCO2濃度が、夫々の換気終了判定値７４，７８から乖離しているほど、要求換気量Vは大きな値に設定されることになる。
【００７２】
上記の処理が終わると、次に、現在の回転速度NE及び機関トルクTRQを維持した状態でエミッション保証が可能な空燃比A/Fが算出される（ステップ１０４）。ECU７０は、図２に示す空燃比の許容範囲、つまり、浄化能力の面から定まる空燃比の許容領域を、回転速度NEと機関トルクTRQとの関係で定めたマップを記憶している。本ステップ１０４では、そのマップを参照して、現在の運転条件下でエミッション保証が可能な空燃比A/Fの範囲が特定される。
【００７３】
次に、燃焼担保が可能な空燃比A/Fが算出される（ステップ１０６）。ECU７０は、図３に示す空燃比の上限値U、つまり、燃焼が担保できる空燃比の上限値Uを、回転速度NEと機関トルクTRQとの関係で定めたマップを記憶している。本ステップ１０６では、そのマップを参照して、現在の運転条件下で燃焼が担保できる空燃比の上限値Uが特定される。以上の処理が終わると、ECU７０は、現在の回転速度NE及び機関トルクTRQの下での許容空燃比領域（図４参照）を特定し得る状態となる。
【００７４】
ECU７０は、次に、許容空燃比範囲の中で、PCVバルブ２８による換気量Ventpcvとその換気に伴う燃費Fuelpcvとの間に成立する関係を算出する（ステップ１０８）。
次いで、ECU７０は、その関係に基づいて、要求換気量Vを満たす換気量Ventpcvを最小燃費Fuelpcvで発生させる運転条件を算出する（ステップ１１０）。
【００７５】
図８は、上記ステップ１０８において実行される処理の詳細を説明するためのフローチャートである。図８に示すように、ステップ１０８では先ず、許容空燃比範囲の中で空燃比A/F(i)が仮決めされる（ステップ１１２）。
【００７６】
次に、燃料噴射量Fと吸入空気量Gaとが仮決めされる（ステップ１１４）。
図９は、等しい機関トルクTRQを維持する空燃比A/Fと燃料噴射量Fとの関係の一例を示す。ECU７０は、機関トルクTRQ毎にこの関係を記憶している。本ステップ１１４では先ず、現在のトルクTRQについて空燃比A/Fと噴射量Fの間に成立する図９同様の関係が読み出される。次いで、その関係に基づいて、上記ステップ１１２で仮決めした空燃比A/F(i)に対応する噴射量Fが読み出される。以上の処理によれば、仮決めされた空燃比A/F(i)の下で、等しい機関トルクTRQを維持するための噴射量Fを仮決めすることができる。
図１０は、噴射量Fが一定である場合に空燃比A/Fと吸入空気量Gaとの間に成立する関係を示す。空燃比A/Fは、吸入空気量Gaを噴射量Fで除した値である。従って、噴射量Fが一定であれば、吸入空気量Gaと空燃比A/Fとの間には、図１０に示すように比例関係が成立する。従って、ECU７０は、A/F(i)とFとが仮決めされれば、それらに基づいて吸入空気量Gaを算出することができる。本ステップ１１４では、上記の通り噴射量Fを仮決めした後、そのFを空燃比A/F(i)に掛け合わすことにより、更に吸入空気量Gaを仮決めする。
【００７７】
上記の処理が終わると、次に、図１１に示す関係からPin-InVVT関係が読み出される（ステップ１１６）。
図１１は、吸気マニホールド圧Pinと吸気弁特性InVVTとの間に成立する関係を、吸入空気量Gaをパラメータとして表した図である。図１１に示す関係からは、下記の現象を読み取ることができる。但し、図１１吸気弁特性InVVTは、吸気弁の開弁時期と同義であり、その値が大きいほど開弁時期が遅角側にずれるものとする。
１．吸気マニホールド圧Pinが同じであれば、吸気弁特性InVVTが大きいほど（遅角側であるほど）吸入空気量Gaは多量になる。
２．吸気弁特性InVVTが同じであれば、吸気マニホールド圧Pinが高いほど吸入空気量Gaは多量になる。
３．吸入空気量Gaを一定に保つためには、吸気弁特性InVVTが遅角側であるほど吸気マニホールド圧Pinを下げる必要があり、他方、吸気マニホールド圧が高いほど吸気弁特性InVVTを進角側にずらす必要がある。
ECU７０は、内燃機関１０に関して図１１に示す関係を記憶している。本ステップ１１６では、図１１に示す関係から、上記ステップ１１４で仮決めされた吸入空気量Gaに対応する関係が読み出され、その関係がPin-InVVT関係として特定される。
【００７８】
上記の処理が終わると、次に、吸気マニホールド圧Pinと、PCVバルブ２８の換気に伴う燃費Fuelpcvとの関係が特定される（ステップ１１８）。内燃機関１０のポンプ損は、主として吸気マニホールド圧Pinと吸気弁特性InVVTとによって決せられる。吸入空気量Gaが特定された条件下では、Pin-InVVT関係が特定され、InVVTがPinの関数となる。このため、この条件下では、内燃機関１０のポンプ損が主としてPinで決まることになる。
図１２は、吸入空気量Gaを特定した場合に、吸気マニホールド圧Pinと燃費Fuelpcvとの間に成立する関係の一例である。この関係は、Pinが低下するほど、吸気行程でのポンプ損が増大して燃料消費量（燃費）Fuelpcvが増えることを表している。ECU７０は、吸入空気量Ga毎に図１２に示すものと同様の関係を記憶している。本ステップ１１８では、それらの関係の中で、仮決め中の吸入空気量Gaに対応するものが、Pin-Fuelpcv関係として特定される。
【００７９】
次に、吸気マニホールド圧Pinと、PCVバルブ２８による換気量Ventpcvとの関係が読み出される（ステップ１２０）。
図１３は、内燃機関１０において、PinとVentpcvとの間に成立する関係を示す。ECU７０は図１３に示す関係を記憶している。本ステップ１２０では、この関係がPin-Ventpcv関係として読み出される。
【００８０】
次に、燃費Fuelpcvと換気量Ventpcvとの関連付けが行われる（ステップ１２２）。
図１４は、本ステップ１２２の処理により得られる結果の一例を模式的に表したものである。上記ステップ１１８で特定されたPin-Fuelpcv関係も、上記ステップ１２０で読み出されたPin-Ventpcv関係も、Pinの軸を有している。このため、燃費Fuelpcvと換気量Ventpcvとは、吸気マニホールド圧Pinを仲介軸とすることで、図１４に示すように関連付けることができる。
【００８１】
以上の処理が終わると、次に、許容空燃比範囲の全域についてA/F(i)の展開が終了しているか否かが判別される（ステップ１２４）。その結果、未だA/F(i)の展開が終了していないと判別された場合は、A/F(i)の値を変えて上記ステップ１１２以降の処理が再び実行される。一方、A/F(i)の展開が終了していると判別された場合は、図８に示す一連の処理が終了される。
図１５は、図８に示す一連の処理が終了される段階でECU７０に蓄積されているFuelpcv-Ventpcv関係を模式的に表したものである。図１５に示すように、図８に示す一連の処理によれば、Pinを仲介軸として燃費Fuelpcvと換気量Ventpcvを連結させた情報を、許容空燃比範囲の全域に渡って取得することができる。
【００８２】
図１６は、図６に示すメインルーチン中、ステップ１１０において実行される処理の詳細を説明するためのフローチャートである。図１６に示す一連の処理は、上述した図１５に示す関係に基づいて、要求換気量Vを満たす換気量Ventpcvを、最小燃費で実現する運転条件を算出するために実行される。
【００８３】
図１６に示す一連の処理では、先ず、空燃比A/F(i)の仮決めが行われる（ステップ１２６）。本ステップ１２６の処理は、図１５に示す情報に対して行われる。図１５に示す情報は、図１４に示すFuelpcv-Ventpcv関係を許容空燃比範囲の全域について展開したものである。従って、図１５に示す情報に対してA/F(i)を仮決めすると、そのA/F(i)の下で成立するFuelpcv-Ventpcv関係、つまり、図１４に示すのと同様の関係が特定されることになる。
【００８４】
上記の処理が終わると、次に、特定されたFuelpcv-Ventpcv関係の中から、要求換気量Vを満たす換気量Ventpcvを発生させるPinが抽出される（ステップ１２８）。尚、要求換気量Vは、図６のステップ１０２で算出した値である。
図１７は、上記ステップ１２６で特定された関係に、要求換気量Vを追記した図である。図１７に示す例によれば、換気量Ventpcvが要求換気量Vを満たすのは、吸気マニホールド圧Pinが、PinL≦Pin≦PinHの関係を満たす場合である。従って、この場合はPinLからPinHの範囲が要求換気量Vを満たすPinとして抽出される。
【００８５】
次に、上記の処理で抽出したPinの中で、最小燃費を実現するPin（以下、「Pin(i)」とする）が特定される（ステップ１３０）。図１７に示す例によれば、PinL≦Pin≦PinHの関係を満たすPinのうち、最小燃費を実現するのはPinHである。従って、この場合はPinHがPin(i)として特定される。
【００８６】
次に、許容空燃比範囲の全域について、A/F(i)の展開が終わっているか否かが判別される（ステップ１３２）。許容空燃比範囲の全域についてA/F(i)の展開が終了していない場合は、A/F(i)を変更して、上記ステップ１２６以降の処理が再び実行される。そして、A/F(i)の展開が終了していると判別された場合は、許容空燃比範囲の全域について、最小燃費を実現するPin(i)の特定が完了したと判断することができる。
【００８７】
上記の処理が終わると、次に、許容空燃比範囲の全域について、Pin(i)によって実現される最小燃費Fuelpcv(i)が読み出される（ステップ１３４）。
図１８は、PinとA/Fの二次元座標中に複数のFuelpcv(i)を棒グラフにより示した図である。本ステップ１３４の処理によれば、許容空燃比範囲の全域から、図１８に示す棒の高さが読み出されることになる。
【００８８】
次に、読み出された全ての最小燃費Fuelpcv(i)の中で最も値の小さいものが特定される。そして、その最小のFuelpcv(i)を実現するA/FとPinが特定される（ステップ１３６）。以上の処理によれば、図１５に示す関係を満たすA/FとPinの組み合わせの中で、最小の燃費で要求換気量Vを満たす組み合わせ（A/F，Pin）を特定することができる。
【００８９】
上記の処理が終わると、次に、最小燃費で要求換気量Vを満たすための内燃機関１０の運転条件が特定される。つまり、上記ステップ１３６で特定された（A/F，Pin）と共に用いるべき他のパラメータ（F，Ga，InVVT）が特定される（ステップ１３８）。
本実施形態において、最小燃費を実現する（A/F，Pin）の特定処理は、上記の通り図１５に示す関係に基づいて行われる。図１５に示す関係を定める過程では、等トルクTRQの要件を満たすためにA/F(i)毎に燃料噴射量Fを特定している（図８中ステップ１１４、並びに図９参照）。このため、図１５に示す関係の下では、空燃比A/F(i)と燃料噴射量Fとが一対一に対応しており、A/F(i)が決まれば自ずとFが決まることになる。そして、A/F(i)が決まっている環境下でFが決まれば、当然に吸入空気量Gaも決まることになる。
更に、図１５に示す関係は、吸入空気量Gaが決まると、Pin-InVVT関係が決まることを前提としている（図８中ステップ１１６、並びに図１１参照）。従って、吸入空気量Gaが決まれば、Pin-InVVT関係も自ずと定まることになる。そして、上記ステップ１３６では、A/F(i)と共にPin(i)を特定しているから、Pin-InVVT関係が定まればInVVTも自ずと特定されることになる。
このように、本実施形態では、A/F(i)とPin(i)が特定されると、燃料噴射量F、吸入空気量Ga、及び吸気弁特性InVVTが、何れも必然的に定まることになる。本ステップ１３８では、具体的には、それらを特定するために下記の処理が行われる。
１．ステップ１３６で特性したA/F(i)に基づいて、図９に示す関係から噴射量Fを特定する。
２．ステップ１３６で特定したA/F(i)、及び上記の処理で特定したFに基づいて、図１０に示す関係から吸入空気量Gaを特定する。
３．図１１に示す関係の中から、上記の処理で特定したGaに対応するPin-InVVT関係を特定する。次いで、ステップ１３６で特定したPinを、そのPin-InVVT関係に当てはめて吸気弁特性InVVTを特定する。
【００９０】
以上の処理によれば、最小燃費で要求換気量Vを満たすことのできるA/F、Pin、F、Ga、InVVTの組み合わせを特定することができる。また、ここで特定される空燃比A/Fは許容空燃比範囲の中に納まっている。更に、ここで特定される燃料噴射量Fは、空燃比A/Fの変更前後で等しい機関トルクTRQを維持する値に特定される。このため、上記組み合わせに従う運転条件によれば、排気特性を損なうことなく、かつ、ドライバビリティを損なうことなく、最小の燃費でクランクケース２４の換気を適切に促進することができる。以下、この条件を「最適換気条件」と称し、その条件での運転を「最適換気運転」と称す。
【００９１】
以後、再び図６を参照して、本実施形態において実行されるメインルーチンの説明を続ける。図６に示すルーチンでは、ステップ１１０の処理に続いて、最適換気条件の空燃比A/Fが閾値Zよりリーンであるか否かが判別される（ステップ１４０）。尚、閾値Zは、NOxの浄化率が低下する中間領域の上限値である（図４参照）。
【００９２】
本実施形態において、ECU７０は、混合気の空燃比が許容空燃比範囲から外れないように空燃比制御を行う。このため、内燃機関１０で用いられる空燃比は、リーン領域かストイキ領域に属している。
【００９３】
上記ステップ１４０で最適換気条件の空燃比が閾値Zよりリーンであると判別された場合は、最適換気運転がリーン領域で行われると判断できる。そして、現在の空燃比がリーン領域に属していれば、最適換気運転の開始に伴う空燃比の変化は、リーン領域内の変化に留まると判断できる。混合気の空燃比が継続的にリーン領域に維持されるのであれば、最適換気運転の開始前後でNSR触媒６０の状態に大きな変化は生じない。従って、この場合は、最適換気運転の開始に伴ってNSR触媒６０からNOxが吹き抜ける心配はない。
【００９４】
他方、最適換気条件の空燃比が閾値Zよりリーンであり、かつ、現在の空燃比がストイキ領域に属している場合は、最適換気運転の開始に伴って、空燃比が中間領域を跨いで変化することになる。中間領域では、NOxが多量に発生するため、その変化の過程では、NSR触媒６０がNOx飽和に至り易い環境が形成される。しかしながら、ストイキ制御の実行中はNOxの生成量が少なく、NSR触媒６０のNOx吸蔵容量が一般に十分な量となる。このため、ストイキ領域にある空燃比が中間領域を跨いでリーン領域に変化する際には、その過程で生成されるNOxをNSR触媒６０が十分に吸収することができる。
【００９５】
以上説明した理由により、本実施形態では、上記ステップ１４０の判定が肯定された場合、NOxの大気放出を心配することなく最低換気運転が開始できると判断される。そして、この場合は、以後速やかに最適換気条件での運転が要求される（ステップ１４２）。その結果、内燃機関１０において最適換気運転が開始され、排気特性を損なうことなく、かつドライバビリティを損なうことなく、クランクケース２４の換気が促進され始める。
【００９６】
図６に示すルーチン中、上記ステップ１４０において最適換気条件の空燃比が閾値Zよりリーンではないと判別された場合、その空燃比はリーン領域に属するものではないと判断できる。そして、本実施形態では、混合気の空燃比が常に許容空燃比範囲の中、つまり、リーン領域かストイキ領域の中に収められるため、リーン領域に属しないとすれば、その空燃比はストイキ領域に属するものと判断することができる。この場合、ECU７０は、次に、現在の空燃比制御がリーン制御であるか否かを判別する（ステップ１４４）。
【００９７】
上記ステップ１４４の判別が否定された場合は、現在の空燃比制御がストイキ制御であると判断できる。そして、その場合は、現在の空燃比がストイキ領域に属し、かつ、最適換気条件の空燃比もストイキ領域に属すると判断できる。空燃比が継続的にストイキ領域に維持される場合は、三元触媒５８により排気ガスを適切に浄化し続けることができる。ECU７０は、この場合も、排気特性を損なうことなく最適換気運転への移行が可能であると判断して以後速やかにステップ１４２の処理を行う。
【００９８】
一方、上記ステップ１４４において、現在の空燃比制御がリーン制御であると判別された場合は、最適換気運転の開始に伴って、リーン領域にある空燃比が中間領域を跨いでストイキ領域に変化すると判断できる。ECU７０は、この場合次に、NSR触媒６０のNOx吸蔵量がNOx放出を要求する判定値以上であるかを判別する（ステップ１４６）。
【００９９】
空燃比が中間領域を跨いで変化する際には、一時的に多量のNOxが生成される。その際、NSR触媒６０に十分なNOx吸蔵容量が確保されていれば、生成されたNOxはNSR触媒６０に捕獲され、大気には放出されない。上記ステップ１４６の判別が否定された場合は、NSR触媒６０に十分なNOx吸蔵容量が残されていると判断できる。この場合、ECU７０は、NOxが大気放出されることはないと判断して速やかにステップ１４２の処理を実行する。
【０１００】
他方、上記ステップ１４６において、NOx吸蔵量が判定値以上であると判定された場合は、空燃比が中間領域を跨ぐ際にNOxの大気放出が生じ得ると判断できる。この場合、ECU７０は、リッチ制御を実行した後、最適換気条件での運転を要求する（ステップ１４８）。リッチ制御が行われると、NSR触媒６０は、NOxを放出してNOx吸蔵能力を回復する。NSR触媒６０がNOx吸蔵能力を回復した後であれば、空燃比が中間領域を跨いで変化しても、生成されるNOxはNSR触媒６０に捕獲され大気には放出されない。このため、上記の処理によれば、最適換気運転の開始に伴って空燃比がリーン領域からストイキ領域に変化する場合においても、良好な排気特性を維持することができる。
【０１０１】
図６に示すルーチンでは、上記の処理に続いて、クランクケース２４内のNOx濃度及びCO2濃度が、夫々の換気終了判定値以下に低下したか否かが判別される（ステップ１５０）。その結果、何れかの濃度が未だ換気終了判定値まで下がっていないと判別された場合は、ステップ１００以降の処理が繰り返される。そして、NOx濃度もCO2濃度も換気終了判定値以下に下がったと判別された場合は、最適換気条件での運転要求が取り下げられた後、今回のルーチンが終了される。
【０１０２】
以上説明した通り、本実施形態によれば、PCVバルブ２８による自然換気の結果、クランクケース内のNOx濃度又はCO2濃度が要求判定値にまで上昇した場合には、最適換気運転を行うことでケース内ガスの換気量を増やすことができる。この際、空燃比の変化は、許容空燃比範囲の中に収められる。また、最適換気運転への移行に伴って空燃比が中間領域を跨ぐ際には、必要に応じてNSR触媒６０の回復処理（リッチ制御）も実行される。更に、最適換気運転では、等しい機関トルクを維持する燃料噴射量Fが用いられる。このため、本実施形態によれば、排気特性を損なうことなく、かつ、ドライバビリティを損なうことなく、最小の燃費で適切な換気促進を実現することができる。
【０１０３】
［実施の形態１の変形例］
ところで、上述した実施の形態１では、PCVバルブ２８がクランクケース２４の内部空間に連通する構成を用いているが、その構成はこれに限定されるものではない。例えば、クランクケース２４の内部空間とヘッドカバー内側の空間とが繋がっているような場合には、PCVバルブ２８をシリンダヘッドの内部空間に連通させることとしてもよい。
【０１０４】
また、上述した実施の形態１では、クランクケース内のNOx濃度又はCO2濃度が換気判定値に達した段階で換気要求を発生することとしているが、換気要求の発生手法はこれに限定されるものではない。換気要求は、例えば、所定の時間毎に周期的に発生させることとしてもよい。また、換気要求は、所定の走行距離毎に適宜発生させることとしてもよい。
【０１０５】
また、上述した実施の形態１では、クランクケース内のNOx濃度及びCO2濃度に基づいて要求換気量Vを設定し、その要求換気量Vが満たされるように換気条件を設定することとしているが、本発明はこれに限定されるものではない。例えば、要求換気量Vは、現在の換気量を越える任意の値とし、その要求換気量Vが満たされるように換気条件を設定することとしてもよい。
【０１０６】
また、上述した実施の形態１では、換気の促進を開始するに当たって空燃比がリーン領域からストイキ領域に変化する場合にのみリッチ制御を実行することとしているが、本発明はこれに限定されるものではない。即ち、上記のリッチ制御は、換気の促進を開始するに当たって空燃比がストイキ領域からリーン領域に変化する場合にも、併せて実行することとしてもよい。
【０１０７】
また、上述した実施の形態１では、許容空燃比範囲をECU７０が車両上で算出することとしているが、許容空燃比範囲は、予め適合作業により内燃機関１０に対して実験的に定めておくこととしてもよい。例えば、許容空燃比範囲は、回転速度NE、機関負荷KL（吸入空気量Ga）、空燃比A/F、点火時期、吸気弁特性InVVT、燃料噴射時期、筒内とポートの燃料噴き分け率等、燃焼耐圧に影響を及ぼすパラメータの少なくとも一部を軸として適合作業により予めマップ化しておくことができる。ECU７０は、そのマップを記憶しておき、内燃機関１０の運転状態に応じてそのマップから許容空燃比範囲を読み出すこととしてもよい。
尚、以上四点については、以下に説明する実施の形態２の場合も同様である。
【０１０８】
また、上述した実施の形態１では、許容空燃比範囲の中で最小燃費を実現する空燃比A/F(i)を特定して、最適換気条件で換気を促進することとしているが、本発明はこれに限定されるものではない。例えば、最小燃費の要件を外して、要求換気量Vを満たす換気条件で換気を促進することとしてもよい。この変形例は、例えば、図６に示すステップ１１０において、下記の処理を行うことにより実現することができる。
１．要求換気量Vを満たすA/FとPinの組み合わせを一つ特定する。
２．その組み合わせに対して、F、Ga及びInVVTを実施の形態１の場合と同様の手法で特定する。
３．上記１及び２の処理により特定した各種パラメータの組み合わせを、最適換気条件に代わる換気条件として設定する。
【０１０９】
実施の形態２．
［実施の形態２の構成］
図１９は、本発明の実施の形態２の構成を説明するための図である。以下、図１９において、図１に示す要素と同一の要素については、同一の符号を付してその説明を省略又は簡略する。
【０１１０】
図１９に示す構成は、内燃機関１０の吸気通路３０にエゼクタ８０を備える点を除いて図１に示す構成と同様である。エゼクタ８０は、ガス通路８２を介してオイルセパレータ２６と連通している。また、エゼクタ８０は、高圧通路８４を介してコンプレッサ３８の下流に連通している。更に、エゼクタ８０は、低圧通路８６を介してコンプレッサ３８の上流に連通している。
【０１１１】
内燃機関１０の運転中に、過給圧Pscが上昇すると、高圧通路８４と低圧通路８６に差圧が生ずる。その結果、エゼクタ８０の内部には、高圧通路８４から低圧通路８６に向かう空気の流れが生ずる。エゼクタ８０は、その空気の流れを利用してガス通路８２からケース内ガスを吸引する。吸引されたケース内ガスは、エゼクタ８０内を流れる空気と共にコンプレッサ３８の上流側に流入する。
【０１１２】
このように、エゼクタ８０は、コンプレッサ３８の下流に生ずる過給圧Pscと、コンプレッサ３８の上流における大気圧との差圧を利用してケース内ガスの換気を図ることができる。このため、本実施形態の構成によれば、PCVバルブ２８による換気量Ventpcvと、エゼクタ８０による換気量Ventejeとを合わせた総換気量Ventsum=Ventpcv+Ventejeがケース内ガスの換気量となる。
【０１１３】
［実施の形態２の特徴］
上述した実施の形態１では、要求換気量Vを満たす換気量VentpcvをPCVバルブ２８に発生させる条件のうち、燃費Fuelpcvを最小とする条件が最適換気条件とされる。これに対して、本実施形態では、要求換気量Vを満たす総換気量Ventsumを最小燃費で発生させる条件が最適換気条件となる。以下、このような最適換気条件を設定して内燃機関１０を制御するために、本実施形態においてECU７０が実行する処理の内容を、図２０乃至図３４を参照して説明する。
【０１１４】
（実施の形態２のフローチャート）
図２０は、本実施形態においてECU７０が実行するメインルーチンのフローチャートである。ECU７０は、内燃機関１０の始動後、所定の周期で図２０に示すルーチンを実行する。図２０に示すルーチンは、ステップ１１０が、ステップ１５２及び１５４に変更されている点を除いて図６に示すルーチンと同様である。以下、図２０において、図６に示すステップと同一のステップについては、共通する符号を付してその説明を省略又は簡略する。
【０１１５】
図２０に示すルーチンでは、ステップ１０８でPCVバルブ２８の換気量Ventpcvと燃費Fuelpcvとの関係が算出された後、エゼクタ８０を対象として同様の処理が実行される。具体的には、許容空燃比範囲の中で、エゼクタ８０による換気量Ventejeとその換気に伴う燃料消費（燃費）Fuelejeとの間に成立する関係が算出される（ステップ１５２）。
【０１１６】
次に、ステップ１０８で算出した関係と、ステップ１５２で算出した関係に基づいて、最適換気条件が算出される（ステップ１５４）。尚、本実施形態における最適換気条件は、総換気量Ventsumが要求換気量Vを満たす条件のうち、PCVバルブ２８の換気に起因する燃費Fuelpcvとエゼクタ８０の換気に起因する燃費Fuelejeとの和（以下、「総燃費Fuelsum」とする)を最小とする条件である。
【０１１７】
ステップ１５４以降、ECU７０は、実施の形態１の場合と同様にステップ１４０〜１５０の処理を実行する。
【０１１８】
図２１は、上記ステップ１５２において実行される処理の詳細を説明するためのフローチャートである。図２１に示すように、ステップ１５２では先ず、許容空燃比範囲の中で空燃比A/F(i)が仮決めされる（ステップ１５６）。
【０１１９】
次に、燃料噴射量Fと吸入空気量Gaとが仮決めされる（ステップ１５８）。本ステップ１５８の処理は、図８に示すステップ１１４の場合と同様に行われる。具体的には、図９に示す関係に基づいて、仮決めされた空燃比A/F(i)の下で等しい機関トルクTRQを維持する噴射量Fが仮決めされる。更に、その噴射量Fの下で空燃比A/F(i)を実現する吸入空気量Gaが仮決めされる。
【０１２０】
次に、Pin-InVVT関係が特定される（ステップ１６０）。本ステップ１６０の処理は、図８のステップ１１６の場合と同様に行われる。具体的には、図１１に示す複数の特性のうち、仮決めされたGaに対応するものがPin-InVVT関係として特定される。尚、図１１においてGa毎に定められている個々の特性は、吸気マニホールド圧Pinの実用範囲、及び吸気弁特性InVVTの可動範囲について定められているものとする。
【０１２１】
次に、吸気マニホールド圧Pinが仮決めされる（ステップ１６２）。上記の通り、Pin-InVVT関係は、Pinの実用範囲について定められている。本ステップ１６２では、その実用範囲の中でPinが任意の値に仮決めされる。以下、ここで仮決めされたPinを特に「Pin(j)」とする。本ステップ１６２が実行される段階ではPin-InVVT関係が特定されているため、Pin(j)が仮決めされれば、InVVTも仮決めされることになる。
【０１２２】
以上説明した通り、図２１に示す一連の処理では、ステップ１６２が実行された段階で、空燃比A/F、燃料噴射量F、吸入空気量Ga、吸気マニホールド圧Pin、及び吸気弁特性InVVTが仮決めされた状態となる。以下、これらのパラメータを「燃焼系パラメータ」と称す。内燃機関１０において、燃焼パラメータが固定されると、残されたパラメータはスロットル開度TAとウェストゲート開度W/Gの二つとなる。そして、これら二つのパラメータは、何れも内燃機関１０の燃費に影響を与えるパラメータである。
【０１２３】
図２２は、「燃焼系パラメータ」固定の状態で、内燃機関１０のスロットル開度TAと燃費との間に成立する関係の一例を示している。上述した通り、PCVバルブ２８の換気量Ventpcvは、吸気マニホールド圧Pinにより決定される。Pinは燃焼系パラメータに含まれているため、その換気量Ventpcvはスロットル開度TAとは無関係である。従って、スロットル開度TAと相関を持つ燃費は、エゼクタ８０の換気にのみ関連を持つことになる。この点を明確にするため、図２２の縦軸タイトルは、「燃費Fueleje」としている。
【０１２４】
内燃機関１０においては、スロットル開度TAが大きいほど、ポンプ損が低下し、かつ、コンプレッサ３８の負荷が軽減される。図２２は、それらの影響により、TAが小さいほど燃料消費が多量となり、TAが大きくなるに従って燃費が改善される様子を示している。
【０１２５】
図２３は、「燃焼系パラメータ」固定の状態で、ウェストゲート開度W/Gと燃費Fuelejeとの間に成立する関係の一例を示している。図２３の縦軸タイトルも、図２２の場合と同様の理由により「燃費Fueleje」としている。
【０１２６】
内燃機関１０においては、ウェストゲート開度W/Gが大きいほど、排気ガスがバイパス通路５４を通過し易くなり、排気損失が低下する。図２３は、その排気損失の影響により、W/Gが小さいほど燃料消費が多量となり、W/Gが大きくなるに連れて燃費が改善される様子を示している。
【０１２７】
このように、スロットル開度TA及びウェストゲート開度W/Gは、エゼクタ８０の換気に起因する燃費Fuelejeに対して夫々相関を有している。ここで、上述した「燃焼系パラメータ」に加えてウェストゲート開度W/Gを固定すると、スロットル開度TAと燃費Fuelejeの関係を図２２のように特定することができる。そして、本実施形態のECU７０は、ウェストゲート開度W/Gが固定されると、上記の「燃焼系パラメータ」に基づいて、そのW/Gの下で成立するTA-Fueleje関係を算出することができる。
【０１２８】
図２１に示す一連の処理では、上記ステップ１６２の処理に続いて、そのTA-Fueleje関係の算出が進められる。具体的には、先ず、ウェストゲート開度W/Gが、実用範囲内の任意の値W/G(k)に仮決めされる（ステップ１６４）。
【０１２９】
次に、ECU７０は、仮決めされている燃焼系パラメータ及びW/G(k)に基づいて、スロットル開度TAと燃費Fuelejeとの間に成立する関係を算出する（ステップ１６６）。この処理は、空燃比A/FがA/F(i)に、吸気マニホールド圧PinがPin(j)に、また、ウェストゲート開度W/GがW/G(k)に、夫々仮決めされた状態で行われる。ステップ１６６の枠内には、この点を明確にするためFuelejeに(ijk)の記号を添付している。
【０１３０】
上記の処理が終わると、次に、実用範囲の全域についてW/G(k)の展開が終了しているか否かが判別される（ステップ１６８）。その結果、未だW/G(k)の展開が終了していないと判別された場合は、W/G(k)の値を変えて上記ステップ１６４以降の処理が再び実行される。
【０１３１】
一方、W/G(k)の展開が終了したと判別された場合は、(TA，W/G)と燃費Fuelejeとの関係が記憶される（ステップ１７０）。
図２４は、本ステップ１７０で記憶される(TA，W/G)-Fueleje関係の一例を模式的に表したものである。
尚、本ステップ１７０が実行される段階では、W/Gの展開が終わり、W/G(k)の仮決めが解除されている。このため、ステップ１７０の枠内、及び図２４の縦軸タイトルには、A/F(i)とPin(j)が仮決めの状態であることを表すべく (ij)の記号を添付している。
【０１３２】
内燃機関１０において、スロットル開度TA及びウェストゲート開度W/Gは、燃費Fuelejeを決める因子であると共に、過給圧Pscを決める因子でもある。
図２５は、スロットル開度TAと過給圧Pscとの間に成立する関係を示す。図２５に示す関係からは、下記の現象を読み取ることができる。
１．スロットル開度TAが同じであれば、過給圧Pscが高いほど吸気マニホールド圧Pinが高くなる。
２．過給圧Pscが同じであれば、スロットル開度TAが大きいほど吸気マニホールド圧Pinが高くなる。
３．吸気マニホールド圧Pinを一定に保つためには、過給圧Pscが高いほどスロットル開度TAを小さくし、他方、スロットル開度TAが大きいほど過給圧Pscを下げる必要がある。
ECU７０は、内燃機関１０に関して図２５に示す関係を記憶している。このため、ECU７０は、吸気マニホールド圧Pinが仮決めされている状況下では、TA-Psc関係を特定することができる。
【０１３３】
図２６は、ウェストゲート開度W/Gと過給圧Pscとの間に成立する関係を示す。図２６に示す関係からは、W/G開度が小さいほど、ターボチャージャ３６の効率が上がって過給圧Pscが高まる現象を読み取ることができる。
【０１３４】
このように、スロットル開度TAとウェストゲート開度W/Gは、何れも過給圧Pscに対して相関を有している。そして、内燃機関１０においては、それらの一方を、上記の「燃焼系パラメータ」と共に固定すれば、それらの他方と過給圧Pscとの関係を一義的に特定することができる。例えば、「燃焼系パラメータ」と共にウェストゲート開度W/Gを固定すれば、スロットル開度TAと過給圧Pscの関係は、図２５に示す複数の特性のうちの一つに特定することができる。そして、本実施形態のECU７０は、ウェストゲート開度W/Gが固定されると、上記の「燃焼系パラメータ」に基づいて、そのW/Gの下で成立するTA-Psc関係を算出することができる。
【０１３５】
図２１に示す一連の処理では、上記ステップ１７０の処理に続いて、そのTA-Psc関係の算出が進められる。具体的には、先ず、ウェストゲート開度W/Gが、実用範囲内の任意の値W/G(k)に仮決めされる（ステップ１７２）。
【０１３６】
次に、ECU７０は、仮決めされている燃焼系パラメータ及びW/G(k)に基づいて、スロットル開度TAと過給圧Pscとの間に成立する関係を算出する（ステップ１７４）。この処理は、空燃比A/FがA/F(i)に、吸気マニホールド圧PinがPin(j)に、また、ウェストゲート開度W/GがW/G(k)に、夫々仮決めされた状態で行われる。ステップ１７４の枠内には、この点を明確にするためPscに(ijk)の記号を付している。
【０１３７】
上記の処理が終わると、次に、実用範囲の全域についてW/G(k)の展開が終了しているか否かが判別される（ステップ１７６）。その結果、未だW/G(k)の展開が終了していないと判別された場合は、W/G(k)の値を変えて上記ステップ１７２以降の処理が再び実行される。
【０１３８】
一方、W/G(k)の展開が終了したと判別された場合は、(TA，W/G)と過給圧Pscとの関係が記憶される（ステップ１７８）。
図２７は、本ステップ１７８で記憶される(TA，W/G)-Psc関係の一例を模式的に表したものである。尚、本ステップ１７８が実行される段階では、W/Gの展開が終わり、W/G(k)の仮決めが解除されている。このため、ステップ１７８の枠内、及び図２７の縦軸タイトルには、A/F(i)とPin(j)が仮決めされていることを表すべく (ij)の記号を添付している。
【０１３９】
上記の処理が終わると、次に、過給圧Pscを、エゼクタ８０の換気量Ventejeに変換する処理が行われる（ステップ１８０）。
図２８は、エゼクタの換気量Ventejeと過給圧Pscとの間に成立する関係を示す。内燃機関１０が備えるエゼクタ８０は、上述した通り、コンプレッサ３８の上下差圧、大気圧と過給圧Pscとの差圧を利用してケース内ガスを換気する。このため、その換気量Ventejeは、図２８に示すように過給圧Pscに対応した値となる。ECU７０は、図２８に示す関係を記憶している。本ステップ１８０では、その関係に基づいて、上記ステップ１７８で記憶された(TA，W/G)-Psc(ij)関係が、(TA，W/G)-Venteje(ij)関係に変換される。
【０１４０】
次に、エゼクタ８０に関する燃費Fuelejeと換気量Ventejeの関連付けが行われる（ステップ１８２）。
図２９は、本ステップ１８２の処理により得られる結果の一例を模式的に表したものである。上記ステップ１７０で記憶された(TA，W/G)-Fueleje(ij)関係も、上記ステップ１８２で変換された(TA，W/G)-Venteje(ij)関係も、TAとW/Gの二つの軸を有している。このため、燃費Fuelejeと換気量Ventejeとは、それら二つの軸(TA，W/G)を仲介軸とすることで、図２９に示すように関連付けることができる。
【０１４１】
以上の処理が終わると、図２９に示す関係に、PCVバルブ２８に関する燃費Fuelpcv及び換気量Ventpcvを反映させるための処理が行われる（ステップ１８４）。上述した通り、図２９に示す関係は、空燃比をA/F(i)に、吸気マニホールド圧をPin(j)に、夫々仮決めして求めた関係である。ECU７０は、図１５に示す関係から、A/F(i)とPin(j)の組み合わせの下で発生する燃費Fuelpcv(ij)並びに換気量Ventpcv(ij)を読み出すことができる。本ステップ１８４では、具体的には、そのようにして読み出された燃費Fuelpcv(ij)及び換気量Ventpcv(ij)が、図２９に示す燃費Fueleje及び換気量Ventejeに夫々加算される。
【０１４２】
図３０は、上記ステップ１８４の処理により生成された関係の一例を示す。図３０に示すように、上記の処理によれば、仮決めされたA/F(i)及びPin(j)の下で、(TA，W/G)をパラメータとして、総燃費Fuelsumと総換気量Ventsumとを関連付けることができる。
【０１４３】
上記の処理が終わると、次に、実用範囲の全域についてPin(j)の展開が終了しているか否かが判別される（ステップ１８６）。その結果、未だPin(j)の展開が終了していないと判別された場合は、Pin(j)の値を変えて上記ステップ１６２以降の処理が再び実行される。一方、Pin(j)の展開が終了していると判別された場合は、吸気マニホールド圧Pinの全域について、必要なデータ収集が終わったと判断することができる。
【０１４４】
図３１は、上記ステップ１８６が終了した段階でECU７０に蓄積されている総燃費Fuelsumと総換気量Ventsumの関係の一例を模式的に表したものである。ここでは、吸気マニホールド圧Pinの展開が終わり、Pin(j)の仮決めが解除されている。このため、図３１の縦軸タイトルには、A/F(i)が仮決めの状態であることを明示するべく (i)の記号を付している。以下、記号(i)、(ij)及び(ijk)については、上記同様のルールで用いることとし、個々の箇所での説明を省略する。
【０１４５】
図２１に示す一連の処理では、次に、許容空燃比範囲の全域についてA/F(i)の展開が終了しているか否かが判別される（ステップ１８８）。その結果、未だA/F(i)の展開が終了していないと判別された場合は、A/F(i)の値を変えて上記ステップ１５６以降の処理が再び実行される。一方、A/F(i)の展開が終了していると判別された場合は、図２１に示す一連の処理が終了される。
【０１４６】
図３２は、図２１に示す一連の処理が終了した段階でECU７０に蓄積されている総燃費Fuelsumと総換気量Ventsumの関係の一例を模式的に表したものである。図３２に示すように、上記の処理によれば、A/F、Pin、W/G、TAをパラメータとして、PCVバルブ２８とエゼクタ８０の双方により実現される総燃費Fuelsum及び総換気量Ventsumを、適切に定めることができる。
【０１４７】
図３３は、図２０に示すメインルーチン中、ステップ１５４において実行される処理の詳細を説明するためのフローチャートである。図３３に示す一連の処理は、上述した図３２に示す関係に基づいて、要求換気量Vを満たす総換気量Ventsumを、最小の総燃費Fuelsumで実現する運転状態を算出するために実行される。
【０１４８】
図３３に示す一連の処理では、先ず、空燃比A/F(i)の仮決めが行われる（ステップ１９０）。本ステップ１９０の処理は、図３２に示す情報に対して行われる。図３２に示す情報は、図３１に示す総燃費Fuelsum(i)及び総換気量Ventsum(i)の関係を許容空燃比範囲の全域について展開したものである。従って、図３２に示す情報に対してA/F(i)を仮決めすると、図３１に示すのと同様の関係が特定されることになる。
【０１４９】
続いて、吸気マニホールド圧Pin(j)の仮決め（ステップ１９２）と、ウェストゲート開度W/G(k)の仮決め（ステップ１９４）が、順次行われる。これらの処理も図３２に示す情報に対して行われる。ステップ１９２の処理によれば、図３０に示すのと同様の関係が特定されることになる。また、ステップ１９４の処理によれば、図３０からW/G軸を消去したものと同様の関係が特定されることになる。
【０１５０】
上記の処理が終わると、次に、特定された総燃費Fuelsum及び総換気量Ventsumの関係に基づいて、要求換気量Vを満たす総換気量Ventsumを発生させるTA(ijk)が抽出される（ステップ１９６）。
図３４は、上記ステップ１９４で特定された関係に、要求換気量Vを追記した図である。図３４に示す例によれば、総換気量Ventsumが要求換気量Vを満たすのは、スロットル開度TAがTA≦TA1を満たす場合である。従って、この場合はTA1以下のTAが、要求換気量Vを満たすTA(ijk)として抽出される。
【０１５１】
次に、上記の処理で抽出したTA(ijk)の中で、総燃費Fuelsumを最小とするTA(ijk)が特定される（ステップ１９８）。図３４に示す例によれば、総燃費Fuelsumを最小とするのはTA1である。従って、この場合はTA1が最小燃費のTA(ijk)として特定される。
【０１５２】
上記の処理が終わると、次に、実用範囲の全域について、W/G(k)の展開が終わっているか否かが判別される（ステップ２００）。W/G(k)の展開が終了していない場合は、W/G(k)を変えて上記ステップ１９４以降の処理が再び実行される。そして、その展開が終了していると判別された場合は、最小燃費のTA(ijk)をW/Gの実用領域の全域で抽出し終えたと判断することができる。
【０１５３】
図３３に示す一連の処理では、次に、最小燃費のTA(ijk)により実現される総燃費Fuelsum(ijk)が読み出される（ステップ２０２）。図３４に示す例によれば、最小燃費のTA(ijk)はTA1である。そして、TA1により実現される総燃費Fuelsum(ijk)はFuelsum1である。従って、この場合はFuelsum1がFuelsum(ijk)として読み出される。本ステップ２０２の処理は、上記ステップ１９８で抽出した全てのTA(ijk)について行われる。
【０１５４】
図３５は、W/GとTAの二次元座標中に複数のFuelsum(ijk)を棒グラフにより示した図である。上記ステップ２０２の処理によれば、W/Gの実用範囲の全域から、図３５に示す全ての棒の高さが読み出されることになる。
【０１５５】
次に、読み出された全ての総燃費Fuelsum(ijk)の中で最も値の小さいものが特定される。そして、その最小のFuelsum(ijk)を実現するW/GとTAの組み合わせが特定される（ステップ２０４）。以上の処理によれば、仮決めされたA/F(i)及びPin(j)の下で、要求換気量Vを満たす総換気量Ventsum(ij)を発生させ、かつ、総燃費Fuelsum(ij)を最小とする組み合わせ(W/G，TA)(ij)を特定することができる。
【０１５６】
上記の処理が終わると、次に、実用範囲の全域について、Pin(j)の展開が終わっているか否かが判別される（ステップ２０６）。Pin(j)の展開が終了していない場合は、Pin(j)を変えて上記ステップ１９２以降の処理が再び実行される。そして、その展開が終了していると判別された場合は、最小燃費の(W/G，TA)(ij)をPinの実用範囲の全域で抽出し終えたと判断することができる。
【０１５７】
図３３に示す一連の処理では、次に、最小燃費の(W/G，TA)(ij)により実現される総燃費Fuelsum(ij)が読み出される（ステップ２０８）。この処理は、上記ステップ２０４で抽出した全ての(TA，W/G)(ij)について行われる。続いて、読み出された全ての総燃費Fuelsum(ij)の中で最も値の小さいものが特定される。そして、その最小のFuelsum(ij)を実現する（W/G，TA，Pin）の組み合わせが特定される（ステップ２１０）。これらの処理は、上述したステップ２０２及び２０４の処理と同様に行われる。以上の処理によれば、仮決めされたA/F(i)の下で、要求換気量Vを満たす総換気量Ventsum(i)を発生させ、かつ、総燃費Fuelsum(i)を最小とする組み合わせ(W/G，TA，Pin)(i)を特定することができる。
【０１５８】
次に、許容空燃比範囲の全域について、A/F(i)の展開が終わっているか否かが判別される（ステップ２１２）。A/F(i)の展開が終了していない場合は、A/F(i)を変えて上記ステップ１９０以降の処理が再び実行される。そして、A/F(i)の展開が終了していると判別された場合は、最小燃費を実現する(W/G，TA，Pin)(i)を許容空燃比範囲の全域で抽出し終えたと判断することができる。
【０１５９】
上記の処理が終わると、次に、最小燃費の(W/G，TA，Pin)(i)により実現される総燃費Fuelsum(i)が読み出される（ステップ２１４）。この処理は、上記ステップ２１０で抽出した全ての(TA，W/G，Pin)(i)について行われる。続いて、読み出された全ての総燃費Fuelsum(i)の中で最も値の小さいものが特定される。そして、その最小のFuelsum(i)を実現する（W/G，TA，Pin，A/F）の組み合わせが特定される（ステップ２１６）。これらの処理は、上述したステップ２０２及び２０４の処理と同様に行われる。以上の処理によれば、要求換気量Vを満たす総換気量Ventsumを発生させ、かつ、取り得る全ての組み合わせの中で総燃費Fuelsumを最小とする組み合わせ(W/G，TA，Pin，A/F)を特定することができる。
【０１６０】
上記の処理に続いて、最小燃費で要求換気量Vを満たすための最適換気条件が特定される。つまり、上記ステップ２１８で特定された（W/G，TA，Pin，A/F）と共に用いるべき他のパラメータ（F，Ga，InVVT）が特定される（ステップ２１８）。本ステップ２１８で行われる具体的処理の内容は、図１６に示すステップ１３８の場合と同様である。
【０１６１】
以上の処理によれば、PCVバルブ２８とエゼクタ８０に、最小燃費で要求換気量Vを満たす総換気量Ventsumを発生させる内燃機関１０の運転条件を特定することができる。ここで特定される空燃比A/F及び燃料噴射量Fは、実施の形態１の場合と同様に、排気特性及びドライバビリティを良好に維持する値とされている。このため、本実施形態によれば、実施の形態１の場合と同様に、排気特性及び運転特性を損なうことなく、クランクケース２４の換気を適切に促進することができる。
【０１６２】
更に、本実施形態では、クランクケース２４の換気を、PCVバルブ２８とエゼクタ８０の双方を用いて行うこととしている。PCVバルブ２８とエゼクタ８０は、夫々異なる条件下で高い換気能力を発揮する。このため、本実施形態によれば、実施の形態１の場合に比して更に広い運転範囲の下で、良好な換気能力を確保することができる。
【０１６３】
［実施の形態２の変形例］
ところで、上述した実施の形態２では、最小燃費を実現する空燃比A/F(i)を特定して、最適換気条件で換気を促進することとしているが、本発明はこれに限定されるものではない。例えば、最小燃費の要件を外して、要求換気量Vを満たす換気条件で換気を促進することとしてもよい。この変形例は、例えば、図２０に示すステップ１５４において、下記の処理を行うことにより実現することができる。
１．要求換気量Vを満たすA/F、Pin、W/G及びTAの組み合わせを一つ特定する。
２．その組み合わせに対して、F、Ga及びInVVTを実施の形態１の場合と同様の手法で特定する。
３．上記１及び２の処理により特定した各種パラメータの組み合わせを、最適換気条件に代わる換気条件として設定する。
【符号の説明】
【０１６４】
１０  内燃機関
２６  オイルセパレータ
２８  PCVバルブ
３６  ターボチャージャ
３８  コンプレッサ
４２  過給圧センサ
４４  スロットル弁
４８  吸気圧センサ
５６  ウェストゲートバルブ（WGV）
５８  三元触媒
６０  NOx吸蔵還元触媒（NSR触媒）
７０  電子制御ユニット（ECU）
８０  エゼクタ
A/F  空燃比
Pin  吸気マニホールド圧
W/G  ウェストゲート開度
TA  スロットル開度
Fuelpcv  PCVバルブの換気に起因する燃費
Fueleje  エゼクタの換気に起因する燃費
Ventpcv  PCVバルブの換気量
Venteje  エゼクタの換気量
Fuelsum   FuelpcvとFuelejeを合わせた総燃費
Ventsum   VentpcvとVentejeを合わせた総換気量
【図１】
0006269616.tif 000002
【図２】
0006269616.tif 000003
【図３】
0006269616.tif 000004
【図４】
0006269616.tif 000005
【図５】
0006269616.tif 000006
【図６】
0006269616.tif 000007
【図７】
0006269616.tif 000008
【図８】
0006269616.tif 000009
【図９】
0006269616.tif 000010
【図１０】
0006269616.tif 000011
【図１１】
0006269616.tif 000012
【図１２】
0006269616.tif 000013
【図１３】
0006269616.tif 000014
【図１４】
0006269616.tif 000015
【図１５】
0006269616.tif 000016
【図１６】
0006269616.tif 000017
【図１７】
0006269616.tif 000018
【図１８】
0006269616.tif 000019
【図１９】
0006269616.tif 000020
【図２０】
0006269616.tif 000021
【図２１】
0006269616.tif 000022
【図２２】
0006269616.tif 000023
【図２３】
0006269616.tif 000024
【図２４】
0006269616.tif 000025
【図２５】
0006269616.tif 000026
【図２６】
0006269616.tif 000027
【図２７】
0006269616.tif 000028
【図２８】
0006269616.tif 000029
【図２９】
0006269616.tif 000030
【図３０】
0006269616.tif 000031
【図３１】
0006269616.tif 000032
【図３２】
0006269616.tif 000033
【図３３】
0006269616.tif 000034
【図３４】
0006269616.tif 000035
【図３５】
0006269616.tif 000036